(57)【要約】【課題】建物の壁や天井の内部に配設されていても、布設情報を確実且つ簡単に知ることができる電線管を提供する。【解決手段】ケーブル１２を収容して建物１４内部に布設されるものであって、その長手方向の任意の位置に、布設情報を記録したＩＣタグ１６を装着した。ＩＣタグ１６に記録される布設情報としては、電線管１８の長さ、布設位置、製造者、製造年月日、規格、仕様、リサイクル、リユース情報等の電線管１８に関する情報や、電線管１８の中に収容されるケーブル１２の長さ、製造者、製造年月日、規格、仕様、リサイクル、リユース情報等のケーブル１２に関する情報がある。それらを組み合わせた情報でもよい。電線管１８にＩＣタグ１６を装着しておくことによって、電線管１８が住宅壁のどの部分に配置されている等が外部から即座に確認できる。【選択図】図２
2006050729.tif 000002
【特許請求の範囲】
【請求項１】
ケーブルを収容し建物内部に布設されるものであって、
その長手方向の任意の位置に、布設情報を記録したＩＣタグを装着したことを特徴とする電線管。
【請求項２】
請求項１記載の電線管において、
前記布設情報は、電線管の長さ、布設位置、製造者、製造年月日、規格、仕様、リサイクル、リユース情報のいずれかの情報を含むものであることを特徴とする電線管。
【請求項３】
請求項１に記載の電線管において、
前記布設情報は、電線管に収容されるケーブルの長さ、製造者、製造年月日、規格、仕様、リサイクル、リユース情報のいずれかの情報を含むものであることを特徴とする電線管。
【請求項４】
請求項１または２に記載の電線管において、
前記ＩＣタグは、電線管の少なくとも両端の開口部近傍に取り付けられていることを特徴とする電線管。
【発明の詳細な説明】
【技術分野】
【０００１】
本発明は、配線工事の効率化を図る電線管に関する。
【背景技術】
【０００２】
電力ケーブル、通信ケーブル等のケーブル（電線を含む。以下同じ。）を建物の壁や天井の内部に配線する場合に、電線管を使用する方法がある（特許文献１参照）。電線管は、金属管やプラスチックパイプ等からなり、建物の建築時に床や側壁等の内部へ埋め込まれる。戸建住宅には、プラスチックコルゲートパイプ等を簡易な電線管として埋め込むことが行われている。マンション等に使用されるコンクリート壁バネルには、電線を直接埋め込むものと電線管を埋め込むものとが採用されている。
【特許文献１】特開平９−４６８３６号公報
【発明の開示】
【発明が解決しようとする課題】
【０００３】
ところで、上記の技術には、次のような解決すべき課題があった。
電線管は、両端の開口部の所在が明確であれば、ケーブルの入れ替え等は容易である。しかしながら、例えば、建物が古くなると、設計図面が紛失したり、途中で変更工事がされたりするため、電線管の埋設位置や両端の開口部の所在が分かり難くなる。また、例えば、エアコン取り付け作業では、壁に貫通孔を開けるが、埋設されている電線管を破損してしまう危険性もある。リフォーム工事等では、さらにその危険性が高い。
【０００４】
本発明は、以上の点に着目してなされたもので、建物の壁や天井の内部に配設されていても、布設情報を確実且つ簡単に知ることができる電線管を提供することを目的とする。
【課題を解決するための手段】
【０００５】
本発明の実施例においては、それぞれ次のような構成により上記の課題を解決する。
〈構成１〉
ケーブルを収容し建物内部に布設されるものであって、その長手方向の任意の位置に、布設情報を記録したＩＣタグを装着したことを特徴とする電線管。
【０００６】
ケーブルは電線を含むものとする。また、建物内部に布設されるものとは、例えば、一般住宅の壁や天井にケーブルを埋設することを含むものである。この場合に可撓性の良好なコルゲートパイプが電線管として多用されている。この電線管にＩＣタグを装着しておくことによって、例えば、電線管が住宅壁のどの部分に配置されているか等が、外部から即座に知ることができる。
【０００７】
〈構成２〉
構成１記載の電線管において、上記布設情報は、電線管の長さ、布設位置、製造者、製造年月日、規格、仕様、リサイクル、リユース情報のいずれかの情報を含むものであることを特徴とする電線管。
【０００８】
構成２におけるＩＣタグに記録する布設情報は、電線管に関する情報である。ＩＣタグに、例えば、電線管の長さを示す情報が記録されていると、挿通するのに必要なケーブルの長さを予め確認でき作業効率が高まる。
【０００９】
〈構成３〉
構成１に記載の電線管において、上記布設情報は、電線管に収容されるケーブルの長さ、製造者、製造年月日、規格、仕様、リサイクル、リユース情報のいずれかの情報を含むものであることを特徴とする電線管。
【００１０】
構成３におけるＩＣタグに記録する布設情報は、ケーブルに関する情報である。布設されている複数の電線管のすべてに、ケーブルが収容されているとは限らない。将来収容するために、現在、空にしておく場合もある。構成３の布設情報をみることによって、ケーブルが収容されているかどうかも即座に分かる。
【００１１】
〈構成４〉
構成１または２に記載の電線管において、上記ＩＣタグは、電線管の少なくとも両端の開口部近傍に取り付けられていることを特徴とする電線管。
【００１２】
ＩＣタグが電線管の所定位置に取り付けられていることによって、ＩＣタグに記録された布設情報を簡単に読み取ることができる。
【発明を実施するための最良の形態】
【００１３】
本発明では、電線管に収容されたケーブルあるいは電線管自体の補修工事のときや、各種の工事に際し、当該ケーブルあるいは電線管の各種のデータ情報をリアルタイムで読み出し可能にした情報入力可能なＩＣタグを利用するものである。
以下、本発明の実施の形態を実施例ごとに詳細に説明する。
【実施例１】
【００１４】
図１は、実施例１の電線管を示す説明図、図２は図１の一部を拡大して示す断面図、図３は電線管の変形例を示す説明図である。
図１に示すように、本発明の電線管１８は、電力ケーブルや通信ケーブル等のケーブル１２を配線するために住宅の壁１４や天井内に布設されるもので、その長手方向の任意の位置、例えば電線管１８の一端部に、布設情報を記録したＩＣタグ１６を装着したものである。電線管１８がコネクタ箱１７に接合されているときは、図２に示すように、ＩＣタグ１６をコネクタ箱１７内に位置するようにして保護するとよい。
【００１５】
ＩＣタグ１６に記録される布設情報としては、電線管１８の長さ、布設位置、製造者、製造年月日、規格、仕様、リサイクル、リユース情報等の電線管１８に関する情報や、電線管１８の中に収容されるケーブル１２の長さ、製造者、製造年月日、規格、仕様、リサイクル、リユース情報等のケーブル１２に関する情報がある。それらを組み合わせた情報でもよい。
【００１６】
電線管１８としては、図３に示すように、可撓性の良好なプラスチック製のコルゲートパイプでもよく、端部の開口部近傍にＩＣタグ１６が装着される。ＩＣタグ１６を予め定められた位置に取り付けられていることによって、ＩＣタグ１６に記録された布設情報を簡単に読み取ることができる。
【００１７】
図４は、布設された電線管１８の端部に装着されたＩＣタグ１６から布設情報を読み取っている状況を示す説明図である。
図４に示すように、電線管１８の端部のコネクタ箱１７に、情報読取り装置２２を近づけて電線管１８の端部に装着したＩＣタグ１６に記録されている布設情報を、コネクタ箱１７の外側から読み取ることができる。
【００１８】
図５は、電線管１８の端部に装着されたＩＣタグ１６と情報読取り装置２２の説明図である。
図５に示すように、ＩＣタグ１６には、アンテナ２５、送信機２７、受信機２８、及び布設情報２９が設けられている。アンテナ２５は、送信用と受信用の両方に使用される。受信機２８で問い合わせ信号３２を受信すると、送信機２７が動作し、布設情報２９を含む応答信号３１を送信する。
【００１９】
情報読取り装置２２は、電線管１８の端部に装着されたＩＣタグ１６に対し、問い合わせ信号３２を送信する機能を持つ。送信機４１は、この問い合わせ信号３２を送信する。受信機４２は、電線管１８のＩＣタグ１６から送信された応答信号３１を受信し、これを制御装置４５に送り込む。制御装置４５は、布設情報２９の内容をディスプレイ４７に表示する。ディスプレイ４７は、情報読取り装置２２に取り付けられた液晶表示装置などからなる。
【００２０】
また、読取りの結果は、様々な付属情報と共に、記憶装置４６に記憶される。すなわち、記憶装置４６には、すべてのＩＣタグ１６から受信した応答信号３１や布設情報２９の内容が記憶される。この情報は、後で様々な解析に利用できる。
【図面の簡単な説明】
【００２１】
【図１】実施例１の電線管を示す説明図である。
【図２】図１の一部を拡大して示す断面図である。
【図３】電線管の変形例を示す説明図である。
【図４】電線管端部に装着されたＩＣタグから布設情報を読み取ってる状況を示す説明図である。
【図５】電線管端部に装着されたＩＣタグと情報読取り装置の説明図である。
【符号の説明】
【００２２】
１２  ケーブル
１４  壁
１６  ＩＣタグ
１７  コネクタ箱
１８  電線管
【図１】
2006050729.tif 000003
【図２】
2006050729.tif 000004
【図３】
2006050729.tif 000005
【図４】
2006050729.tif 000006
【図５】
2006050729.tif 000007